(57)【要約】      （修正有）【課題】軽量で平面鏡と凹面鏡との変換が簡単にでき、しかも破損しにくい構造で、他の器機に組み込んで使用できる倍率可変鏡及びこれを組み込んだ器機を提供する。【解決手段】円形の鏡枠２に取り付けた、銀もしくはアルミを樹脂フィルムに蒸着してなるフィルム状鏡３を有し、この鏡枠２にフィルム状鏡３と隙間をあけて取り付けた透明窓４とによってフィルム状鏡３との間に気密空間Ｖを形成できるようになったものであって、この気密空間Ｖに流路で繋がるポンプ７と、気密空間Ｖの気密を適宜破ることのできるリリース弁Ｃをもち、ポンプ７を手動または電動で動かして気密空間Ｖ内の気圧を上げ、フィルム状鏡３を凹ませることで凹面鏡にすると共に、リリース弁Ｃによって平面鏡に戻すことができる方式を備えた。【選択図】図２
2014119626.tif 000002
【特許請求の範囲】
【請求項１】
円形の鏡枠に取り付けた、銀もしくはアルミを樹脂フィルムに蒸着してなるフィルム状鏡を有し、この鏡枠にフィルム状鏡と隙間をあけて取り付けた透明窓とによって上記フィルム状鏡との間に気密空間を形成できるようになったものであって、この気密空間に流路で繋がるポンプと、気密空間の気密を適宜破ることのできるリリース弁をもち、ポンプを手動または電動で動かして気密空間内の気圧を上げ、上記フィルム状鏡を凹ませることで凹面鏡にすると共に、上記リリース弁によって平面鏡に戻すことができる方式を備えたことを特徴とする倍率可変鏡。
【請求項２】
リリース弁を逆止弁とし、気密空間からの空気流出のみ可能にした設定圧力で働く安全弁とすると共に弁体を外部から動かし気密空間の気密を任意に破ることのできるリリースノブを設置したことを特徴とする請求項１記載の倍率可変鏡
【請求項３】
鏡保護用の蓋の開閉に連動し、蓋が閉じたときリリースノブが押されリリース弁が開く機構を備えたことを特徴とする請求項１または２に記載の倍率可変鏡。
【請求項４】
ポンプを電動ポンプとして、電動ポンプの起動スイッチと連動したタイマーで起動スイッチを押す度にリセットされ、新たに動作が始まるもので、タイマー動作中のみ通電される電磁アクチュエーターが、通電時にリリース弁を閉じ、非通電時にリリース弁を開くようにリリースノブに設置されていることを特徴とする請求項１または２に記載の倍率可変鏡。
【請求項５】
請求項１ないし４のいずれかに記載の倍率可変鏡を、器機に組み込んだことを特徴とする倍率可変鏡付き器機。
【請求項６】
器機がサンバイザーであって、サンバイザー内にポンプを組み込み、ポンプを手動で動かすようにしたもので、少なくともポンプが組み込まれた部分を柔軟な表皮材質で形成し、指で押してポンプをその上から押しつぶせるようにしたことを特徴とする請求項５記載の倍率可変鏡を組み込んだ器機。
【発明の詳細な説明】
【技術分野】
【０００１】
この発明は、平面鏡と凹面鏡とを簡単操作で変化させて使用することができる倍率可変鏡及びこの倍率可変鏡を組み込んだ器機に関するものである。
【背景技術】
【０００２】
洗面、化粧等に使用するミラーとして、一つのミラーで平面鏡と凹面鏡とに使い分けるミラーが知られている。
ところが今までのこの種のミラーは、手元において必要に応じて両手で操作して平面鏡あるいは凹面鏡に切り替えて用いているものがほとんどであった。
【０００３】
化粧等に使用する通常のミラ−は、手元において使用することが多いが、少し離れた例えば洗面化粧台や自動車の前席に設けられたサンバイザー等の器機に組み込み、化粧の際などに使用することが行われている。例えばこのうち、サンバイザーに取り付けたミラーは、バニティミラーといわれ、このミラーを化粧の際に利用することが特許文献１に開示されている。  
【０００４】
しかしながら少し離れた器機にミラーを組み込んで使用する場合、例えば洗面化粧台やサンバイザーから顔が離れることとなり、ミラーを拡大して使用することが必要になる場合がある。
平面鏡と凹面鏡を併用できるミラー装置は種々提案されているが、構造が複雑となり、重量が嵩むものが多く上記の器機に組み込んで使用するに適していないものが多い。また、バニティミラーとして使用するときては、車内で使用するため、軽量で破損しにくく操作が簡単に行なえる構造とすることが望まれる。
【０００５】
このような用途に適するミラーとして、本出願人は特許文献２に示すような鏡を既に提案している。すなわちこの発明は、曲率変化が可能な鏡面シートを気体等を利用し、鏡面シートの曲率を変化させ、平面鏡や凹面鏡として使用することができる鏡であり、軽量で操作も簡単にできることを特徴としているものである。
【先行技術文献】
【特許文献】
【０００６】
【特許文献１】特開２００９−２６９５３５号公報
【特許文献２】特開２０１０−１８３９９６号公報
【発明の概要】
【発明が解決しようとする課題】
【０００７】
本発明は、上記の状況に鑑み、軽量で平面鏡と凹面鏡との変換が簡単に操作でき、しかも破損しにくい構造で、他の器機に組み込んで使用するのに適した倍率可変鏡及びこの倍率可変鏡を組み込んだ器機を提供しようとするものである。
【課題を解決するための手段】
【０００８】
すなわち本発明は、円形の鏡枠に取り付けた、銀もしくはアルミを樹脂フィルムに蒸着してなるフィルム状鏡を有し、この鏡枠にフィルム状鏡と隙間をあけて取り付けた透明窓とによって上記フィルム状鏡との間に気密空間を形成できるようになったものであって、この気密空間に流路で繋がるポンプと、気密空間の気密を適宜破ることのできるリリース弁をもち、ポンプを手動または電動で動かして気密空間内の気圧を上げ、上記フィルム状鏡を凹ませることで凹面鏡にすると共に、上記リリース弁によって平面鏡に戻すことができる方式を備えたことを特徴とする倍率可変鏡を要旨とするものである。
【０００９】
また本発明は、リリース弁を逆止弁とし、気密空間からの空気流出のみ可能にした設定圧力で働く安全弁とすると共に弁体を外部から動かし気密空間の気密を任意に破ることのできるリリースノブを設置したことも特徴とする倍率可変鏡を要旨とするものである
【００１０】
さらに鏡保護用の蓋の開閉に連動し、蓋が閉じたときリリースノブが押されリリース弁が開く機構を備えたことを特徴とする倍率可変鏡も要旨とするものである。
【００１１】
さらにまた本発明は、ポンプを電動ポンプとして、電動ポンプの起動スイッチと連動したタイマーで起動スイッチを押す度にリセットされ、新たに動作が始まるもので、タイマー動作中のみ通電される電磁アクチュエーターが、通電時にリリース弁を閉じ、非通電時にリリース弁を開くようにリリースノブに設置されていることを特徴とする倍率可変鏡をも要旨とするものである。
【００１２】
そして本発明は、請求項１ないし４のいずれかに記載の倍率可変鏡を、器機に組み込んだことを特徴とする倍率可変鏡付き器機も要旨とするものである。
【００１３】
また本発明は、器機がサンバイザーであって、サンバイザー内にポンプを組み込み、ポンプを手動で動かすようにしたもので、少なくともポンプが組み込まれた部分を柔軟な表皮材質で形成し、指で押してポンプをその上から押しつぶせるようにしたことを特徴とする請求項５記載の倍率可変鏡を組み込んだ器機も要旨とするものである。
【発明の効果】
【００１４】
本発明は、以上の如き構成からなるものであるから、単独の鏡として使用することは勿論のこと、サンバイザーや洗面化粧台等の器機に組み込んだ鏡として、軽量で操作が簡単であり、目的に応じて確実に平面鏡と凹面鏡とに変化させて使用することができ、また構造上一般のミラーと比較して破損しにくく、安全性も高くかつ片手でも操作可能なことから実用性が高い利点を有している。
【００１５】
また、リリース弁を逆止弁とし、気密空間からの空気の流出のみ可能にした設定圧力で働く安全弁とすると共に、弁体を外部から動かし気密空間の気密を破ることのできるリリースノブを設置したときには、簡単な操作でフィルム鏡面を、平坦な面に戻し定常状態の平面鏡とすることができる。
【００１６】
さらに、ミラー保護用の蓋をサンバイザーなどに取り付け、蓋の開閉に連動し蓋が閉じたときにリリースノブが押されリリース弁が開く機構を備えたときには、蓋の開閉で簡単かつ迅速に平面鏡と凹面鏡に変化させることができ、特にバニティミラーと
して使用したときに優れた利点も有している。
【００１７】
さらに本発明は、電動方式による倍率可変の作動を行うこともでき、この場合には、比較的大きな鏡であっても、容易に作動ができ、遠隔的な操作も可能となる効果がある。
【図面の簡単な説明】
【００１８】
【図１】図１は、本発明の倍率可変鏡の実施例を示す正面図である。
【図２】図２は、本発明の倍率可変鏡及びその作動部を示す部分的な拡大断面図である。
【図３】図３は、本発明の倍率可変鏡を器機としてサンバイザーに組み込んだ例を示す正面図である。
【図４】図４は、同じく本発明の倍率可変鏡を組み込んだサンバイザーの使用状態を示す斜視図である。
【図５】図５は、電動方式で作動させる本発明の倍率可変鏡の例を示す正面図である。
【図６】図６は、図５で示した倍率可変鏡を組み込んだ洗面化粧台の例を示す斜視図である。
【発明を実施するための形態】
【００１９】
以下、本発明の実施形態を図面に基づいて説明する。
図１は本発明の実施例を示す鏡Ｍの正面図であるが、図中１が鏡本体、２が樹脂などで円形に成形された鏡枠、３が銀もしくはアルミを樹脂フィルムに蒸着してなるフィルム状鏡、４が樹脂やガラスからなる透明窓を示している。
上記鏡枠２の側部には、後述する逆止弁やリリース弁を収納している弁ユニット５が一体的に取り付けられており、この正面にはリリースノブ６の一部が外部に現れている。また図中８は配管であって、一端が弁ユニット５に、また他端が弾性袋体からなるポンプ７に繋がっている。
【００２０】
本発明の鏡Ｍの構造を図２を主体としてさらに詳しく説明すると、この図２は図１の鏡Ｍの要部を拡大して示しており、ポンプ７を９０度回転させて分かりやすく表している。
同図において鏡枠２には、正面側に透明窓４が取り付けられ、この背面には気密空間Ｖをあけてフィルム状鏡３が取り付けられている。
【００２１】
すなわち、円盤状のアンダーカバー９が鏡枠２と嵌合し、鏡枠２の全周に設けられたラッチ１０により固定される。そしてフィルム状鏡３は、全周にわたり鏡枠２とアンダーカバー９の嵌合面隙間１１で固定され、同じく全周にわたって設けられた突起部１２で、ぴんと張られた状態となっている。
【００２２】
次いで本発明の作動方式を図２に基づいて説明する。まずポリエチレンやゴムなどの弾性袋体で断面が凸レンズ状となったポンプ７を、指で押すと空気が配管８を経て，Ｏリング１３、ボール弁１４及びばね１５からなる第１の逆止弁Ａを開き、気密空間Ｖ内に入り、これによってフィルム状鏡３を破線３‘の如く凹ませる。
【００２３】
このときのポンプ７の吸気は、外気が第２の逆止弁Ｂのフィルター１６を通り、Ｏリング１７、ボール弁１８及びばね１９から逆止弁Ｂを開いて行われる。このとき用いられるフィルター１６は、空気中の細かい塵埃を吸い込んでフィルム状鏡３に付着するのを防止するためのものである。
【００２４】
以上のようにしてフィルム状鏡３を凹面にし、凹面鏡に変えることができるが、このときの気密空間Ｖの圧力調整は、Ｏリング２０、ボール弁２１及びばね２２からなるリリース弁Ｃによって行われる。そしてこの圧力の設定は、ばね２２の強さにより変えることができる。
このリリース弁Ｃには、軸２３を中心に矢印Ｘ方向に回転の自由度をもつリリースノブ６に何も力を加えないと、ばね２２がボール弁２１をＯリング２０に押し付け、図の状態となっているが、リリースノブ６の先端に矢印Ｘ方向の外力が加わると、リリースノブ６は時計方向に少し回転し、ボール弁２１がＯリング２０から外れ、空気の出し入れが可能となり、気密空間Ｖの気密が破られる。そして外力を除くと、ばね２２の力で元に戻り、気密空間Ｖの気密が保たれることになる。
【００２５】
なお逆止弁Ａは、リリース弁Ｃより低い圧力で開くように設定する必要がある。また第２の逆止弁Ｂもポンプ７の弾性で生じる負圧により開くように設定しておく必要がある。
またこの実施例では、逆止弁Ａ、Ｂ及びリリース弁Ｃとして、Ｏリング、ボール弁、ばねの組み合わせからなるものを示しているが、他の方式のものでも使用することができるし、逆止弁Ｂをポンプ７に設けるようにしてもよい。
【００２６】
本発明の鏡Ｍを使用するに当たり、上記のポンプ７を押しすすめると、気密空間Ｖ内の圧力が上昇し、フィルム状鏡３はさらに凹み、凹面鏡の倍率が増加していくことになる。あまり凹まし過ぎると、図２に示すアンダーカバー９底面に当たり、鏡中心が平面になったりして好ましくないので、リリースノブ６を指などで倒して任意に倍率を調整するとよい。
【００２７】
次に図３及び図４により本発明の鏡Ｍを組み込んだサンバイザーＳついて説明するが、図３は本発明のサンバイザーを概略的に示しているが、図４は同じく本発明の鏡Ｍを組み込んだサンバイザーの使用状態を示している。
図３において、１００がサンバイザーで、通常鉄製でＬ字状の棒１０１と留め金具１０２で天井等に固定し、サンバイザーの開口部１０３に位置するように、また弁ユニットのリリースノブ６、配管８は外部に現れるようになっている。
【００２８】
図４は、本発明のサンバイザーを使用している状態を示しているが、開口部１０３には鏡保護用の蓋１０４が設けられており、この蓋１０４は図２にも一部示されているように、開閉が自在で矢印Ｙ方向に回転させて開口部１０３を閉じるようになっている。この例の蓋１０４は、一部に斜面１０４Ａが設けられ、これがリリースノブ６を倒し、リリース弁Ｃが開いたままになる。したがって、これにより蓋１０４を開けたときには、常に平面鏡の状態にしておくことができる。
【００２９】
そしてこれを凹面鏡として使用するときは、ポンプ７を外力で押しつぶすことで容易に操作することができる。なおポンプ７の位置は、図３、図４の破線で示す位置に適宜な表示をしておくことが好ましい。また、このような表示をした部分は、柔軟な素材で形成しておくことが望ましい。
【００３０】
次に電動方式の倍率可変鏡を器機として、これを洗面化粧台に組み込んだ例を図５及び図６によって説明する。
図５は本発明の別の実施例で、より大型の鏡にした場合のものであり、鏡本体３０は、図１に示された鏡本体１に相当するものである。また、リリース弁３１も図１及の弁ユニット５及び内部のリリース弁Ｃに相当する機構を有しているものである。
これは鏡本体３０の気密空間の内圧が設定値以上に上昇したとき、安全弁として働き内圧を設定値以上にならないようにしている。同時にリリースノブ３２を利用者が指で動かして適宜圧力を抜き好みの拡大倍率にすることができる。
【００３１】
ここで、電動ポンプ３３は、電源Ｐｏで動く加圧用空気ポンプで図１のポンプ７と、逆止弁Ａ、逆止弁Ｂに相当するものである。このように大型の鏡の場合は、注入する空気量も多くなるので電動ポンプ３３が好ましく、簡単で安く圧力の取れるダイアフラム式の電動ポンプが好ましい。
そして起動スイッチ３４を押すとその間だけ電動ポンプ３３が動き、外気Ａｉがフィルター３５を通り、電動ポンプ３３で加圧され配管３６を通ってリリース弁３１を通過して鏡本体３０の気密空間内に供給され、フィルム状鏡面に圧力が加わりフィルム状鏡が一様に凹んで行き凹面鏡になる。
【００３２】
またリリース弁３１に取り付けられた電磁アクチュエーター３７は、電気が供給されていないときはばねの力でリリースノブ３２を押し続け、リリース弁３１は開いた状態で外気圧と鏡の気密空間の内圧が同じになり、外気圧が変動しても鏡は平面鏡を維持する。起動スイッチ３４が押されると電子タイマー３８が起動し、一定の時間電磁アクチュエーター３７に電気を供給し、電磁アクチュエーター３７が引き込み、リリース弁３１は閉じ、電動ポンプ３３からの空気が鏡に供給される。電子タイマー３８は起動スイッチ３４が押される度にリセットされる。たとえば、電子タイマーの時間を１０分にしておくと利用者が起動スイッチ３４を押したり、リリースノブ３２を押したりして拡大率を変えながら使用して、最後に起動スイッチ３４を押した時から１０分後にリリース３１弁が開き、鏡が勝手に平面鏡に戻るので、平面鏡に戻し忘れても問題ないようになっている。
【００３３】
また図６は、図５に示した実施例の倍率可変化鏡を洗面化粧台に適用した例を示すもので、起動スイッチ３４とリリースノブ３２が鏡本体３０の下辺に設置してある。利用者はここを操作して好きな拡大率で鏡を使うことができ、洗面化粧台として大変便利なものになる。
【符号の説明】
【００３４】
１      鏡本体
２      鏡枠
３      フィルム状鏡
４      透明窓
５      弁ユニット
６      リリースノブ
７      ポンプ
８      配管
９      アンダーカバー
１０    ラッチ
１１    嵌合面隙間
１２    突起部
１３、１７、２０    Ｏリング
１４、１８、２１    ボール
１５、１９、２２    ばね
１６    フィルター
２３    軸      
３０    鏡本体
３１    リリース弁
３２    リリースノブ
３３    電動ポンプ
３４    起動スイッチ
３５    フィルター
３６    配管
３７    アクチュエーター
３８    電子タイマー
１００  サンバイザー
１０１  棒
１０２  留め金具
１０３  開口部
１０４  蓋
Ａ      第１の逆止弁
Ｂ      第２の逆止弁
Ｃ      リリース弁
Ｍ      鏡
Ｖ      気密空間
Ａｉ    空気    
Ｐｏ    電源
【図１】
2014119626.tif 000003
【図２】
2014119626.tif 000004
【図３】
2014119626.tif 000005
【図４】
2014119626.tif 000006
【図５】
2014119626.tif 000007
【図６】
2014119626.tif 000008